【手続補正書】
【提出日】平成17年12月8日(2005.12.8)
【手続補正１】
【補正対象書類名】特許請求の範囲
【補正対象項目名】全文
【補正方法】変更
【補正の内容】
【特許請求の範囲】
【請求項１】
ネットワークを介したテレビ会議システムのための再生制御システムであって、
種々の解像度およびフレーム・レートが可能である複数の表示ウィンドウを有するユーザー・インタフェースと、
個々の表示要件に従って表示特性およびトランスポート特性を管理するためのメッセージング・システムと、を備える再生制御システム。
【請求項２】
前記表示特性およびトランスポート特性が、符号化解像度および伝送ビット・レートを含む、請求項１に記載の再生制御システム。
【請求項３】
前記メッセージング・システムが、現テレビ会議セッションに対して能動的な参加者から受動的な参加者への変更と、受動的な参加者から能動的な参加者への変更とのうちの一方を示すメッセージを送信することおよび受信することのうちの少なくとも一方を行う機能を備える、請求項１に記載の再生制御システム。
【請求項４】
テレビ会議セッションにおける能動的な参加者が、前記テレビ会議セッションにおける受動的な参加者よりも、高い解像度と高いフレーム・レートのうちの少なくとも一方でビデオ・データを伝送するように、前記ユーザー・インタフェースおよび前記メッセージング・システムが適合化された、請求項１に記載の再生制御システム。
【請求項５】
参加者が、現テレビ会議セッションに対して能動的な参加者か受動的な参加者かに基づいて、前記ユーザー・インタフェースが前記複数の表示ウィンドウの間で切り替えられる、請求項１に記載の再生制御システム。
【請求項６】
前記メッセージング・システムが、現テレビ会議セッションに対してビデオ・データを伝送する際に使用すべき解像度およびフレーム・レートを示すメッセージを送信することおよび受信することのうちの少なくとも一方を行う機能を備える、請求項１に記載の再生制御システム。
【請求項７】
前記ユーザー・インタフェースが、テレビ会議セッション中に複数のデコーダを生成する機能を有する、請求項１に記載の再生制御システム。
【請求項８】
前記ユーザー・インタフェースが、各受信ビデオ・データ・ストリーム毎に１つのデコーダを生成する機能を有する、請求項１に記載の再生制御システム。
【請求項９】
前記ユーザー・インタフェースが、同じテレビ会議セッション中に異なるデコーダを生成し、交換し、使用する機能を有する、請求項１に記載の再生制御システム。
【請求項１０】
前記ユーザー・インタフェースが、異なるテレビ会議セッション毎に異なるデコーダを生成し、交換し、使用する機能を有する、請求項１に記載の再生制御システム。
【請求項１１】
ローカル音声データとローカル・ビデオ・データのうちの少なくとも一方を少なくとも取り込むための音声／ビデオ・キャプチャ・インタフェースを備える、請求項１に記載の再生制御システム。
【請求項１２】
前記音声／ビデオ・キャプチャ・インタフェースが、カメラ・インタフェース、マイクロホン・インタフェース、ファイル・インタフェースのうちの少なくとも１つを備える、請求項１１に記載の再生制御システム。
【請求項１３】
前記ユーザー・インタフェースが、参加者が現テレビ会議セッションに対して能動的な参加者から受動的な参加者への切替えと受動的な参加者から能動的な参加者への切替えのうちの一方を要求していることを示すためのページング・ボタンを備える、請求項１に記載の再生制御システム。
【請求項１４】
前記ネットワークが、少なくとも２つのクライアント装置および少なくとも１つのサーバを含み、前記ユーザー・インタフェースが、前記少なくとも２つのクライアント装置の何れかにより使用されるように適合化された、請求項１に記載の再生制御システム。
【請求項１５】
前記ネットワークが、少なくとも２つのクライアント装置および少なくとも１つのサーバを含み、前記メッセージング・システムが、前記サーバと前記少なくとも２つのクライアント装置とのうちの何れかにより使用されるように適合化された、請求項１に記載の再生制御システム。
【請求項１６】
テレビ会議システムのためのユーザー・インタフェースであって、
同時に表示することができ種々の解像度およびフレーム・レートを与える複数の表示ウィンドウを有するビデオ再生装置を備えるユーザー・インタフェース。
【請求項１７】
テレビ会議セッションにおける能動的な参加者が、前記テレビ会議セッションにおける受動的な参加者よりも高い解像度と高いフレーム・レートのうちの少なくとも一方でビデオ・データを伝送するように、前記ビデオ再生装置が適合化された、請求項１６に記載のユーザー・インタフェース。
【請求項１８】
前記ビデオ再生装置が、テレビ会議セッション中に複数のデコーダを生成する機能を有する、請求項１６に記載のユーザー・インタフェース。
【請求項１９】
前記ビデオ再生装置が、受信ビデオ・データ・ストリーム毎に１つのデコーダを生成する機能を有する、請求項１６に記載のユーザー・インタフェース。
【請求項２０】
前記ビデオ再生装置が、同じテレビ会議セッション中に異なるデコーダを生成し、交換し、使用する機能を有する、請求項１６に記載のユーザー・インタフェース。
【請求項２１】
前記ビデオ再生装置が、異なるテレビ会議セッション毎に異なるデコーダを生成し、交換し、使用する機能を有する、請求項１６に記載のユーザー・インタフェース。
【請求項２２】
ローカル音声データとローカル・ビデオ・データのうちの少なくとも一方を少なくとも取り込むための音声／ビデオ・キャプチャ・インタフェースを備える、請求項１６に記載のユーザー・インタフェース。
【請求項２３】
前記音声／ビデオ・キャプチャ・インタフェースが、カメラ・インタフェース、マイクロホン・インタフェース、ファイル・インタフェースのうちの少なくとも１つを備える、請求項２２に記載のユーザー・インタフェース。
【請求項２４】
参加者が、現テレビ会議セッションに対して能動的な参加者から受動的な参加者への切替えと受動的な参加者から能動的な参加者への切替えのうちの一方を要求していることを示すためのページング・ボタンを備える、請求項１６に記載のユーザー・インタフェース。
【請求項２５】
ネットワークを介したテレビ会議システムのためのサーバであって、
個々の表示要件に従って表示特性およびトランスポート特性を管理するためのメッセージング・システムを備えるサーバ。
【請求項２６】
前記メッセージング・システムが、現テレビ会議セッションに対して能動的な参加者から受動的な参加者への変更と、受動的な参加者から能動的な参加者への変更とのうちの一方を示すメッセージを送信することおよび受信することのうちの少なくとも一方を行う機能を備える、請求項２５に記載のサーバ。
【請求項２７】
前記メッセージング・システムが、現テレビ会議セッションに対してコンテンツを伝送する際に使用すべき解像度およびフレーム・レートを示すメッセージを送信することおよび受信することのうちの少なくとも一方を行う機能を備える、請求項２５に記載のサーバ。
【請求項２８】
テレビ会議セッションに対応するコンテンツを表示する方法であって、
同時に表示することができ種々の解像度およびフレーム・レートを与える複数の表示ウィンドウを生成するステップを含む方法。
【請求項２９】
前記生成するステップが、参加者が前記テレビ会議セッションに対して能動的な参加者か受動的な参加者かに基づいて、前記複数の表示ウィンドウの間で切り替える機能を与えるステップを含む、請求項２８に記載の方法。
【請求項３０】
前記テレビ会議セッション中に複数のデコーダを生成する機能を与えるステップを含む、請求項２８に記載の方法。
【請求項３１】
受信ビデオ・データ・ストリーム毎に１つのデコーダを生成する機能を与えるステップを更に含む、請求項２８に記載の方法。
【請求項３２】
前記テレビ会議セッション中に異なるデコーダを生成すること、交換すること、使用することのうちの少なくとも１つを行う機能を与えるステップを含む、請求項２８に記載の方法。
【請求項３３】
個々の表示要件に従って表示特性およびトランスポート特性を管理する機能を与えるステップを含む、請求項２８に記載の方法。
【請求項３４】
前記表示特性およびトランスポート特性が、符号化解像度および伝送ビット・レートを含む、請求項３３に記載の方法。
【請求項３５】
表示特性およびトランスポート特性を管理する機能を与える前記ステップが、前記テレビ会議セッションに対して能動的な参加者から受動的な参加者への変更と、受動的な参加者から能動的な参加者への変更とのうちの一方を示すメッセージを送信することおよび受信することのうちの少なくとも一方を行う機能を与えるステップを含む、請求項３３に記載の方法。
【請求項３６】
前記テレビ会議セッションにおける能動的な参加者に対して、前記テレビ会議セッションにおける受動的な参加者よりも高い解像度でコンテンツを符号化および伝送する機能を与えるステップを含む、請求項２８に記載の方法。
【請求項３７】
表示特性およびトランスポート特性を管理する機能を与える前記ステップが、前記テレビ会議セッションに対応するコンテンツを伝送するための解像度およびフレーム・レートを示すメッセージを送信することおよび受信することのうちの少なくとも一方を行う機能を与えるステップを含む、請求項３２に記載の方法。
【請求項３８】
参加者が、能動的な参加者から受動的な参加者への切替えと受動的な参加者から能動的な参加者への切替えのうちの一方を要求していることを示すページング信号を出力する機能を与えるステップを含む、請求項２８に記載の方法。
【手続補正２】
【補正対象書類名】明細書
【補正対象項目名】発明の名称
【補正方法】変更
【補正の内容】
【発明の名称】テレビ会議システムのための再生制御システム、ユーザー・インタフェース、およびサーバ、並びにテレビ会議セッションに対応するコンテンツを表示する方法